(57)【要約】 【課題】施工性に優れ、高い防食性能を有する防食構造体とその施工方法を提供すること。【解決手段】構造物Ｃの表面Ｓに両面接着テープの帯を枠状に接着して接着枠１を形成し、接着枠１の内側に２以上の両面接着テープのブロックを分散配置して接着ブロック群２’を形成し、接着枠１と接着ブロック群２’の表面に高耐食性金属板３を接着して高耐食性金属板３の仮固定を図る第１のステップ、接着枠１および接着ブロック群２’の厚みt1によって形成される、接着枠１と構造物Ｃの表面Ｓと高耐食性金属板３で囲まれた空間Ｇに対し、高耐食性金属板３もしくは構造物Ｃに設けられた空間Ｇに連通する充填孔３ａを介して接着性の樹脂材料を充填し、樹脂材料が硬化してなる樹脂接着層４によって高耐食性金属板３を構造物Ｃの表面Ｓに本固定し、樹脂接着層４と高耐食性金属板３からなる防食構造体１０を構造物Ｃの表面Ｓに形成する第２のステップからなる施工方法である。【選択図】図２
2014136902.tif 000002
【特許請求の範囲】
【請求項１】
鋼もしくはコンクリートからなる構造物の表面に両面接着テープの帯を枠状に接着して接着枠を形成し、接着枠の内側に２以上の両面接着テープのブロックを分散配置して接着ブロック群を形成し、接着枠と接着ブロック群の表面に高耐食性金属板を接着して高耐食性金属板の仮固定を図る第１のステップ、
接着枠および接着ブロック群の厚みによって形成される、接着枠と構造物の表面と高耐食性金属板で囲まれた空間に対し、高耐食性金属板もしくは構造物に設けられた前記空間に連通する充填孔を介して接着性の樹脂材料を充填し、樹脂材料が硬化してなる樹脂接着層によって高耐食性金属板を構造物の表面に本固定し、樹脂接着層と高耐食性金属板からなる防食構造体を構造物の表面に形成する第２のステップからなる、防食構造体の施工方法。
【請求項２】
前記第１のステップでは、スペーサの帯が枠状に形成されてなるスペーサ枠の表面と裏面にそれぞれ前記両面接着テープの帯を接着して前記接着枠を形成し、２以上のブロック状のスペーサの表面と裏面にそれぞれ前記両面接着テープのブロックを接着して前記接着ブロック群を形成し、
前記空間の前記厚みが、スペーサの厚みとその表裏面の２つの両面接着テープの厚みの総和である請求項１に記載の防食構造体の施工方法。
【請求項３】
前記第１のステップでは、スペーサの帯の表面と裏面にそれぞれ前記両面接着テープの帯を接着して接着区画帯をさらに形成し、前記接着枠の内側に接着区画帯を配設して接着枠の内側を２以上の区画に区分けするものであり、
前記スペーサ枠を構成するスペーサの帯が溝を有するとともに、各区画に対応した位置に各区画の空間に連通する連通孔を有しており、
前記接着枠はその対角位置の一方に前記充填孔が形成され、他方に空気抜き孔が形成されており、
前記第２のステップでは、充填孔から充填された樹脂材料が接着枠を構成するスペーサの帯の溝を通り、前記連通孔を介して各区画の空間に送られ、別途の前記連通孔を介し、接着枠を構成する別途のスペーサの帯の溝を押し出された空気が通り、空気抜き孔から空気が抜かれて、各区画の空間へ樹脂材料の充填がおこなわれる請求項２に記載の防食構造体の施工方法。
【請求項４】
構造物が函状を呈し、その前記表面が平坦面である請求項１〜３のいずれかに記載の防食構造体の施工方法。
【請求項５】
構造物が中空もしくは中実な円柱体であり、その前記表面が湾曲面である請求項１〜３のいずれかに記載の防食構造体の施工方法。
【請求項６】
鋼もしくはコンクリートからなる構造物の表面に両面接着テープの帯を枠状に接着してなる接着枠が接着され、２以上の両面接着テープのブロックが分散配置してなる接着ブロック群が接着枠の内側に接着され、接着枠と接着ブロック群の表面に高耐食性金属板が接着されており、
接着枠および接着ブロック群の厚みによって形成される、接着枠と構造物の表面と高耐食性金属板で囲まれた空間に接着性の樹脂接着層が形成されており、
接着枠と接着ブロック群と樹脂接着層によって高耐食性金属板が構造物の表面に固定され、樹脂接着層と高耐食性金属板から構成されている防食構造体。
【請求項７】
スペーサの帯が枠状に形成されてなるスペーサ枠の表面と裏面にそれぞれ前記両面接着テープの帯が接着されて前記接着枠が形成され、
２以上のブロック状のスペーサの表面と裏面にそれぞれ前記両面接着テープのブロックが接着されて前記接着ブロック群が形成されており、
前記空間の前記厚みが、スペーサの厚みとその表裏面の２つの両面接着テープの厚みの総和である請求項６に記載の防食構造体。
【請求項８】
スペーサの帯の表面と裏面にそれぞれ前記両面接着テープの帯が接着されて接着区画帯が形成され、前記接着枠の内側に該接着区画帯が配設されて接着枠の内側が２以上の区画に区分けされ、各区画の空間内で樹脂接着層が形成されている請求項７に記載の防食構造体。
【請求項９】
構造物が函状を呈し、その前記表面が平坦面である請求項６〜８のいずれかに記載の防食構造体。
【請求項１０】
構造物が中空もしくは中実な円柱体であり、その前記表面が湾曲面である請求項６〜８のいずれかに記載の防食構造体。
【発明の詳細な説明】
【技術分野】
【０００１】
本発明は、海洋構造物等の表面に施工される防食構造体とその施工方法に関するものである。
【背景技術】
【０００２】
鋼構造物やコンクリート構造物の表面の防食性を向上させるべく、構造物の表面に高耐食性金属板を取り付ける方法が一般におこなわれており、腐食環境下にある種々の海洋構造物の施工に際してこのような表面防食措置が講じられることが多い。
【０００３】
この表面防食措置の一例を挙げると、高耐食性金属板にステンレスプレートを適用し、ステンレスプレートを鋼構造物の表面に直接溶接する方法がある。また、高耐食性金属板にチタンプレートを適用した場合には、鋼構造物の表面とチタンプレートの直接溶接ができないことから、鋼板とチタンプレートをクラッドにて一体化したものを鋼構造物の表面に溶接するチタンクラッド工法がある。
【０００４】
いずれの方法ともにプレートを鋼構造物表面に溶接することから、溶接時の鋼構造物の疲労の問題があり、仮に溶接時に亀裂が生じた場合には防食機能を低下させてしまう。また、チタンクラッド工法は工費が嵩み、防食対象の構造物の規模が大きくなるにつれて工費の問題が顕著となり、防食対象構造物の規模が一般に大きな海洋構造物に対してはコスト面から採用が難しい。
【０００５】
ここで、特許文献１には、鋼構造物の表面の一部又は全部にコルゲート形状のチタン板を配置し、鋼構造物とチタン板との間に防食層が形成された鋼構造物の防食構造とその施工方法が開示されている。この構造では、その表面形状が柱面の一部であってコルゲート形状の波頂部が柱面の周方向を向いているチタン板を用いており、このようにコルゲート形状のチタン板を適用したことで、型枠として鋼構造物の表面に防食層を充填してチタン薄板をそのまま取り外さずに防食層を保護する外壁として用いるに当たり、チタン薄板設置時にチタン薄板の形状を保持することが可能になるというものである。
【０００６】
一方、特許文献２には、鋼矢板の表面に当接した樹脂防食層と、この樹脂防食層に緩衝材を介して一体化された高耐食金属板を少なくとも備えた防食被覆体を用いた鋼矢板の防食構造が開示されている。より詳細には、隣り合う高耐食金属板同士を溶接接合して防食被覆体同士を連結するものであり、この構成によって、鋼矢板の幅寸法が大きな場合や被覆長が長い場合であっても互いに連結した防食被覆体にて連続した防食保護層を構成することができ、個々の防食被覆体を大型化することなく、既存の製造設備を利用して低コストで施工できるというものである。
【０００７】
このように特許文献１，２の技術ともにそれぞれに固有の効果を有するものであるが、いずれの技術も鋼構造物等に対するチタン板等からなる高耐食金属板の取付けをボルトなどを利用した機械接続でおこなうことから、ボルト接続に伴う施工性の低下やボルト接続用の措置を高耐食性金属板に施す必要があるなど、構造物への取付け方法に改善の余地がある。
【０００８】
また、特許文献２の技術では、構造物表面に樹脂防食層を先付けした後に高耐食金属板を後付けすることから、実質的に２度の異なる取り付け施工を実施する必要があり、施工性の観点から改善の余地がある。
【先行技術文献】
【特許文献】
【０００９】
【特許文献１】特開２００５−２７３２４２号公報
【特許文献２】特開２０１０−２５５１７８号公報
【発明の概要】
【発明が解決しようとする課題】
【００１０】
本発明は上記する問題に鑑みてなされたものであり、施工性に優れ、高い防食性能を有する防食構造体とその施工方法を提供することを目的としている。
【課題を解決するための手段】
【００１１】
前記目的を達成すべく、本発明による防食構造体の施工方法は、鋼もしくはコンクリートからなる構造物の表面に両面接着テープの帯を枠状に接着して接着枠を形成し、接着枠の内側に２以上の両面接着テープのブロックを分散配置して接着ブロック群を形成し、接着枠と接着ブロック群の表面に高耐食性金属板を接着して高耐食性金属板の仮固定を図る第１のステップ、接着枠および接着ブロック群の厚みによって形成される、接着枠と構造物の表面と高耐食性金属板で囲まれた空間に対し、高耐食性金属板もしくは構造物に設けられた前記空間に連通する充填孔を介して接着性の樹脂材料を充填し、樹脂材料が硬化してなる樹脂接着層によって高耐食性金属板を構造物の表面に本固定し、樹脂接着層と高耐食性金属板からなる防食構造体を構造物の表面に形成する第２のステップからなるものである。
【００１２】
本発明の防食構造体の施工方法は、表面防食が必要な海洋構造物等を構成する鋼構造物やコンクリート構造物の表面に樹脂接着層と高耐食性金属板から形成される防食構造体を施工するに当たり、両面接着テープにて構造物の表面に高耐食性金属板を接着し、両面接着テープの厚みによってできた構造物表面と高耐食性金属板の間の空間に樹脂材料を充填する際のシール性と充填圧による高耐食性金属板のはらみ防止を両面接着テープによって齎すようにしたものである。
【００１３】
すなわち、構造物表面に高耐食性金属板を取り付ける際にボルト等の機械接続を不要とし、構造物表面に接着した両面接着テープで高耐食性金属板を接着し、これらで画成された空間に樹脂材料を充填して樹脂接着層を形成することから、樹脂接着層を先施工し、次いで高耐食性金属板を後施工する２段階の施工方法に比して施工効率は飛躍的に向上する。
【００１４】
さらに、その使用を排除するものではないが、両面接着テープを適所に配設することで、ストッパーや抑え型枠等を高耐食性金属板の外側に配設等することなく、樹脂材料を充填した際の高耐食性金属板のはらみ出しを抑制することができる。
【００１５】
防食対象であるコンクリート構造物もしくは鋼構造物としては、海洋構造物である函状の荷さばき施設の下スラブや側壁スラブ（コンクリート構造物、鋼構造物のいずれもある）、このような海洋構造物を支持する鋼管杭や鋼矢板、ジャケット構造物を構成する鋼管、コンクリート製の防波堤などを一例として挙げることができる。
【００１６】
また、高耐食性金属板としては、ステンレスプレートやチタンプレートを挙げることができ、耐食性の観点で言えばチタンプレートの適用が好ましい。
【００１７】
また、両面接着テープとしては、JIS Z-1541の超強力両面粘着テープの適用が好ましく、両面接着テープの形態としては、その全体が粘着性のあるものの他にも、中央の板状の支持体の両サイドを粘着テープが挟んだ積層構造のものであってもよい。また、後述するスペーサを使用せずに、両面接着テープの厚みのみで樹脂材料を充填する空間を形成する場合では、後者の積層構造の両面接着テープが厚みを確保できる点で好ましい。
【００１８】
これらの構造物の被防食表面としては、スラブ等の平坦な表面や鋼管等の湾曲した表面などがあり、いずれの表面形態に対しても本発明の施工方法は適用可能である。
【００１９】
第１のステップでは、樹脂材料のシール性を確保する観点から、構造物表面の所定範囲において両面接着テープの帯を枠状に接着して接着枠を形成する。なお、たとえば10m×10mの平面状のスラブの防食領域がある場合に、この10m×10mの枠寸法の接着枠をスラブ表面に接着する形態や、５つの縦10m×横2mの接着枠を併設した形態などが挙げられる。
【００２０】
このように、接着枠の表面に高耐食性金属板を接着し、形成された空間に樹脂材料を充填することでそのシール性が保証されるが、このことに加えて、第１のステップは、接着枠の内側に２以上の両面接着テープのブロックを分散配置して接着ブロック群を形成し、接着枠と接着ブロック群の表面に高耐食性金属板を接着して高耐食性金属板の仮固定を図るものである。
【００２１】
本発明の施工方法は高耐食性金属板をその外側から抑え型枠等で抑えることを必要としないことから、接着枠のみでは、樹脂材料を充填した際に仮固定された高耐食性金属板のはらみ出しを十分に抑制できない場合もあり得る。そこで、接着枠の内側に両面接着テープのブロックを分散配置し、接着枠に加えてこの複数のブロックでも高耐食性金属板の接着を図ることで両面接着テープのみで高耐食性金属板のはらみ出しを抑制することができる。
【００２２】
第１のステップで接着枠と接着ブロック群の表面に高耐食性金属板を接着してその仮固定が図られたら、次に第２のステップとして、接着枠および接着ブロック群の厚みによって形成される、接着枠と構造物の表面と高耐食性金属板で囲まれた空間に接着性の樹脂材料を充填する。
【００２３】
ここで、樹脂接着層を形成する接着性の樹脂材料としては、有機溶剤であるエポキシ樹脂やスチレン樹脂、酢酸ビニル、塩化ビニル、ニトリルゴムやクロロプレンゴム、スチレン・ブタジエンゴム、シリコーン樹脂（変性シリコーンを含む）などを挙げることができる。
【００２４】
なお、樹脂材料の充填の際に高耐食性金属板に対する充填圧を可及的に低減することで、両面接着テープに要求される接着力や接着枠の内側に配設される両面接着テープのブロックの数を低減することができる。したがって、たとえば、数mmの空間（隙間）でも抵抗なく流れる流動性を備え、可及的に粘度の低い低粘度の樹脂材料が選定されるのが望ましい。
【００２５】
樹脂材料の充填は、高耐食性金属板もしくは構造物に設けられた空間に連通する充填孔を介しておこなわれる。
【００２６】
空間に充填された樹脂材料が硬化して樹脂接着層が形成され、この樹脂接着層で高耐食性金属板を構造物の表面に本固定する。そして、この本固定された状態において、樹脂接着層と高耐食性金属板からなる防食構造体が構造物の表面に形成されることになる。
【００２７】
このように、本発明による防食構造体の施工方法によれば、構造物の表面に両面接着テープを接着し、この両面接着テープで高耐食性金属板を仮固定し、両面接着テープからなる接着枠と接着ブロック群の厚みによって形成される、接着枠と構造物の表面と高耐食性金属板で囲まれた空間に接着性の樹脂材料を充填し、硬化させて樹脂接着層を形成し、この樹脂接着層で高耐食性金属板の本固定をおこなうことにより、ボルト等による機械接続を不要とし、高耐食性金属板の抑え型枠等を不要としながら、効率的に、樹脂接着層と高耐食性金属板からなる防食構造体を施工することができる。
【００２８】
また、本発明による防食構造体の施工方法の他の実施の形態は、前記第１のステップにおいて、スペーサの帯が枠状に形成されてなるスペーサ枠の表面と裏面にそれぞれ前記両面接着テープの帯を接着して前記接着枠を形成し、２以上のブロック状のスペーサの表面と裏面にそれぞれ前記両面接着テープのブロックを接着して前記接着ブロック群を形成し、前記空間の前記厚みが、スペーサの厚みとその表裏面の２つの両面接着テープの厚みの総和となっているものである。
【００２９】
本実施の形態の施工方法は、接着枠と接着ブロック群を両面接着テープのみから構成する代わりに、スペーサの表面と裏面に両面接着テープを接着して構成された接着枠と接着ブロック群を使用して防食構造体を施工する方法である。
【００３０】
ここで、スペーサは、金属プレートが断面コの字型に形成されたもの、断面Iの字型に形成されたもの、断面Hの字型に形成されたものなど、多様な形状形態のものが適用できる。たとえば、断面コの字型のスペーサにおいて「表面」とはコの字の底面、「裏面」とはコの字の２つの端面を意味する。また、断面Iの字型、断面Hの字型のスペーサにおいて「表面」、「裏面」とは、２つのフランジの端面を意味する。
【００３１】
スペーサを適用して接着枠や接着ブロック群を形成することで、スペーサの厚みとその表裏面の２つの両面接着テープの厚みの総和が樹脂材料の充填される空間の厚みとなり、両面接着テープのみによる場合に比して空間の厚みを確保し易くなる。但し、樹脂材料の充填量を可及的に抑制することが材料コストの観点から望ましいことより、スペーサを適用した場合でもその厚みは10〜20mm程度の薄いものが適用されるのがよい。
【００３２】
また、本発明による防食構造体の施工方法の他の実施の形態は、前記第１のステップにおいては、スペーサの帯の表面と裏面にそれぞれ前記両面接着テープの帯を接着して接着区画帯をさらに形成し、前記接着枠の内側に接着区画帯を配設して接着枠の内側を２以上の区画に区分けするものであり、前記スペーサ枠を構成するスペーサの帯が溝を有するとともに、各区画に対応した位置に各区画の空間に連通する連通孔を有しており、前記接着枠はその対角位置の一方に前記充填孔が形成され、他方に空気抜き孔が形成されており、前記第２のステップでは、充填孔から充填された樹脂材料が接着枠を構成するスペーサの帯の溝を通り、前記連通孔を介して各区画の空間に送られ、別途の前記連通孔を介し、接着枠を構成する別途のスペーサの帯の溝を押し出された空気が通り、空気抜き孔から空気が抜かれて、各区画の空間へ樹脂材料の充填がおこなわれるものである。
【００３３】
接着枠の内側の寸法が比較的広い場合には、その内側を両面接着テープの帯を接着してなる２以上の接着区画帯で区分けし、それぞれの区画に順次樹脂材料を充填するとともに、それぞれの区画から空気を順次抜いていくことで、被防食範囲の全体に亘って空気溜まりのない樹脂接着層を形成することができる。
【００３４】
より具体的には、スペーサ枠を構成するスペーサの帯が溝を有し、各区画に対応した位置に各区画の空間に連通する連通孔をさらに有していて、接着枠はその対角位置の一方に樹脂材料が充填される充填孔を有し、対角位置の他方に空気抜き孔を有していることで、充填孔から充填された樹脂材料は、充填孔に近い区画から順に連通孔を介して流れ込み、この樹脂材料の流れによって空間内にあった空気が押され、空気が押された方向に存在しているスペーサの連通孔からスペーサの溝に空気が押し出され、空気抜き孔に流れてここで空気抜きがおこなわれる。
【００３５】
また、本発明は防食構造体にも及ぶものであり、この防食構造体は、鋼もしくはコンクリートからなる構造物の表面に両面接着テープの帯を枠状に接着してなる接着枠が接着され、２以上の両面接着テープのブロックが分散配置してなる接着ブロック群が接着枠の内側に接着され、接着枠と接着ブロック群の表面に高耐食性金属板が接着されており、接着枠および接着ブロック群の厚みによって形成される、接着枠と構造物の表面と高耐食性金属板で囲まれた空間に接着性の樹脂接着層が形成されており、接着枠と接着ブロック群と樹脂接着層によって高耐食性金属板が構造物の表面に固定され、樹脂接着層と高耐食性金属板から構成されているものである。
【００３６】
本発明の防食構造体は既述する施工方法によって施工されるものであり、高耐食性金属板が薄膜であっても、ボルト等の機械接続が一切講じられていないことから、機械接続による劣化箇所等は存在せず、しかも樹脂接着層を介して構造物の表面に強固に接続された防食構造体となっている。
【００３７】
なお、この防食構造体においても、スペーサの帯が枠状に形成されてなるスペーサ枠の表面と裏面にそれぞれ前記両面接着テープの帯が接着されて前記接着枠が形成され、２以上のブロック状のスペーサの表面と裏面にそれぞれ前記両面接着テープのブロックが接着されて前記接着ブロック群が形成され、前記空間の前記厚みが、スペーサの厚みとその表裏面の２つの両面接着テープの厚みの総和となっている形態がある。さらに、スペーサの帯の表面と裏面にそれぞれ前記両面接着テープの帯が接着されて接着区画帯が形成され、前記接着枠の内側に該接着区画帯が配設されて接着枠の内側が２以上の区画に区分けされ、各区画の空間内で樹脂接着層が形成されている形態もある。
【発明の効果】
【００３８】
以上の説明から理解できるように、本発明の防食構造体とその施工方法によれば、両面接着テープにて構造物の表面に高耐食性金属板を仮固定することで、樹脂材料を充填した際のシール性と充填圧による高耐食性金属板のはらみ防止を両面接着テープのみで実現でき、両面接着テープの厚みによってできた構造物表面と高耐食性金属板の間の空間に充填された樹脂材料が硬化してできた樹脂接着層にて高耐食性金属板の本固定を図ることにより、施工性に優れた施工方法の下で高い防食性能を有する防食構造体を施工することができる。
【図面の簡単な説明】
【００３９】
【図１】本発明の防食構造体の施工方法の実施の形態１を説明したフロー図であって、（ａ）は被施工対象の構造物の一部を示した図であり、（ｂ）は第１のステップを説明した図である。
【図２】（ａ）は図１ｂに続いて第１のステップとさらに第２のステップを説明した図であり、（ｂ）は図２ａに続いて第２のステップを説明するとともに施工された防食構造体の実施の形態１を示した図である。
【図３】防食構造体の実施の形態１の内部を説明した模式図である。
【図４】本発明の防食構造体の施工方法の実施の形態２を説明したフロー図であって、（ａ）は被施工対象の構造物の一部を示した図であり、（ｂ）は第１のステップを説明した図である。
【図５】（ａ）は図４ｂに続いて第１のステップとさらに第２のステップを説明した図であり、（ｂ）は図５ａに続いて第２のステップを説明するとともに施工された防食構造体の実施の形態２を示した図である。
【図６】本発明の防食構造体の施工方法の実施の形態３を説明したフロー図であって、第１のステップを説明した図である。
【図７】図６のVII−VII矢視図である。
【図８】図６に続いて第１のステップを説明した図である。
【図９】図８に続いて第２のステップを説明するとともに、その際に各区画内への樹脂材料の流れと、この樹脂材料によって押し出された空気の流れを説明した図である。
【図１０】施工された防食構造体の実施の形態３を示した図である。
【発明を実施するための形態】
【００４０】
以下、図面を参照して本発明の防食構造体とその施工方法の実施の形態１，２，３を説明する。なお、被施工対象となる構造物には、腐食環境下にあって防食構造体をその表面に形成することを必要とする多様な形状形態の構造物が含まれる。また、図示例は、説明を容易とするために構造物の被施工対象表面を直立させた姿勢や上に向いた姿勢としているが、全施工フローに亘って、被施工対象面はいずれの方向を向いていてもよい。
【００４１】
（防食構造体とその施工方法の実施の形態１）
図１は本発明の防食構造体の施工方法の実施の形態１を説明したフロー図であって、図１ａは被施工対象の構造物の一部を示した図であり、図１ｂは第１のステップを説明した図である。また、図２ａは図１ｂに続いて第１のステップとさらに第２のステップを説明した図であり、図２ｂは図２ａに続いて第２のステップを説明するとともに施工された防食構造体の実施の形態１を示した図であり、図３は防食構造体の実施の形態１の内部を説明した模式図である。
【００４２】
図１ａで示す構造物Ｃは、腐食環境下にある海洋構造物の中でも函状を呈した鋼構造物もしくはコンクリート構造物であり、耐腐食性が特に要求される構造物Ｃの底版の平坦な表面Ｓが被施工対象面である。
【００４３】
図１ａで示すように、構造物Ｃの平面視矩形の表面Ｓに対し、両面接着テープの帯を枠状に形成してなる接着枠１を接着する。さらに、接着枠１の内側には、２以上の両面接着テープの接着ブロック２（図では４つ）を分散配置して接着し、接着ブロック群２’を形成する。
【００４４】
ここで、接着枠１と接着ブロック２はともに厚みがt1であり、この厚みt1によって接着枠１内に空間Ｇが形成される。
【００４５】
接着枠１や接着ブロック２を形成する両面接着テープとしては、JIS Z-1541の超強力両面粘着テープの適用が好ましい。また、適用可能な市販品としては、コニシボンド社製のボンドテープWF721（発泡ポリマー支持体の両面にアクリル系粘着剤を粘着加工した両面接着テープ）を挙げることができる。
【００４６】
また、接着ブロック群２’を構成する接着ブロック２の平面的な大きさや基数は、接着枠１と接着ブロック群２’で後述するように高耐食性金属板を接着し、空間Ｇ内に樹脂材料を充填した際に、この樹脂材料の充填圧によって高耐食性金属板のはらみ出しを防止できる大きさおよび基数が、両面接着テープの単位面積当たりの接着力を勘案して設定される。すなわち、図示する施工方法は、両面接着テープ以外に高耐食性金属板のはらみ出しを抑制する抑え型枠等の使用を排除するものではないものの、両面接着テープからなる接着枠１と接着ブロック群２’のみで高耐食性金属板を仮固定し、充填される樹脂材料による圧力に対して高耐食性金属板のはらみ出し防止を可能とした施工方法である。
【００４７】
構造物Ｃの表面Ｓに接着枠１と接着ブロック群２’を接着したら、図２ａで示すように、これらの端面に高耐食性金属板３を接着し、構造物Ｃに対する高耐食性金属板３の仮固定を図る（第１のステップ）。
【００４８】
同図で示すように、高耐食性金属板３には樹脂材料を充填する（Ｘ１方向）充填孔３ａと、樹脂材料を空間Ｇに充填した際に空気を抜く（Ｘ２方向）空気抜き孔３ｂを有している。
【００４９】
高耐食性金属板３としては、ステンレスプレートやチタンプレートを挙げることができ、耐食性の観点で言えばチタンプレートの適用が好ましい。また、チタンプレートを適用することでその厚みt2を可及的に薄くすることができ、軽量化を図って施工性を向上できる。
【００５０】
接着枠１と構造物Ｃの表面Ｓ、および高耐食性金属板３で囲まれてできた空間Ｇに樹脂材料を充填すると、充填された樹脂材料は接着枠１にてシール性が担保された空間Ｇ内に隙間なく充填されていく。そして、空間Ｇ内に充填された樹脂材料が硬化することにより、図２ｂで示すように樹脂接着層４が空間Ｇに形成され、この樹脂接着層４を介して構造物Ｃの表面Ｓに対する高耐食性金属板３の本固定が完了し、樹脂接着層４と高耐食性金属板３からなる防食構造体１０が構造物Ｃの表面Ｓに形成される（第２のステップ）。
【００５１】
ここで、樹脂接着層４を形成する接着性の樹脂材料としては、有機溶剤であるエポキシ樹脂やスチレン樹脂、酢酸ビニル、塩化ビニル、ニトリルゴムやクロロプレンゴム、スチレン・ブタジエンゴム、シリコーン樹脂（変性シリコーンを含む）などを挙げることができる。なお、樹脂材料の充填の際に高耐食性金属板３に対する充填圧を可及的に低減することで、両面接着テープからなる接着枠１や接着ブロック群２’に要求される接着力を低減することができる。したがって、たとえば、空間Ｇの厚みt1が数mm程度でも抵抗なく流れる流動性を備え、可及的に粘度の低い低粘度の樹脂材料が選定されるのが望ましい。
【００５２】
図３は、施工された防食構造体１０の内部を確認するべく、樹脂接着層４から高耐食性金属板３を取り外した状態を示したものである。
【００５３】
接着ブロック群２’を構成する各接着ブロック２や接着枠１もそれらの表面は接着性があり、内部の樹脂接着層４とともにその全面で高耐食性金属板３と接着され、高い接着強度を有して高耐食性金属板３が構造物Ｃの表面Ｓに固定されることになる。
【００５４】
図示する防食構造体の施工方法によれば、両面接着テープからなる接着枠１と接着ブロック群２’のみで構造物Ｃの表面Ｓに高耐食性金属板３を仮固定することができ、樹脂材料を充填した際のシール性と充填圧による高耐食性金属板３のはらみ防止を接着枠１と接着ブロック群２’のみで実現することができる。さらに、両面接着テープの厚みt1によってできた構造物の表面Ｓと高耐食性金属板３の間の空間Ｇに充填された樹脂材料が硬化してできた樹脂接着層４にて高耐食性金属板３の本固定を図ることにより、施工性に優れた施工方法の下で高い防食性能を有する防食構造体１０を施工することができる。
【００５５】
（防食構造体とその施工方法の実施の形態２）
図４は本発明の防食構造体の施工方法の実施の形態２を説明したフロー図であって、図４ａは被施工対象の構造物の一部を示した図であり、図４ｂは第１のステップを説明した図である。また、図５ａは図４ｂに続いて第１のステップとさらに第２のステップを説明した図であり、図５ｂは図５ａに続いて第２のステップを説明するとともに施工された防食構造体の実施の形態２を示した図である。
【００５６】
図４ａで示す構造物Ｐは鋼管であり、腐食環境下にある海洋構造物で図１等で示す構造物Ｃを支持する鋼管杭であり、その被施工対象面は湾曲面となっている。
【００５７】
図４ｂで示すように、鋼管Ｐの湾曲な表面Ｓの上下の端部に対し、両面接着テープの帯からなる２つの接着枠１Ａを接着する。さらに、上下２つの接着枠１Ａの内側には、２以上の両面接着テープの接着ブロック２を分散配置して接着し、接着ブロック群２’を形成する。なお、図示例のように鋼管周りに断面環状の高耐食性金属板を接着する際には、断面が円形ゆえに接着ブロック群２’が存在しなくても高耐食性金属板のはらみ出しを抑止することができ、したがって必要に応じて接着ブロック群２’を適用しない施工方法であってもよい。
【００５８】
鋼管Ｐの表面Ｓに上下２つの接着枠１Ａと接着ブロック群２’を接着したら、充填孔３Ａａと空気抜き孔３Ａｂを上方に備えた高耐食性金属板３Ａを鋼管Ｐの周りに巻装し、高耐食性金属板３Ａの接続端部同士を一部ラップさせ、ラップ箇所に両面接着テープの帯１Ｂを介在させることで、鋼管Ｐの表面Ｓに高耐食性金属板４Ａの仮固定が図られ、表面Ｓと高耐食性金属板３Ａと２つの接着枠１Ａで樹脂材料充填用の空間が画成される（第１のステップ）。
【００５９】
この空間に対し、充填孔３Ａａから樹脂材料を充填し、空間内を樹脂材料が充満する過程で空気が空気抜き孔３Ａｂから抜かれ、樹脂材料が硬化することで樹脂接着層４Ａが形成される。そして、この樹脂接着層４Ａにて鋼管Ｐの表面Ｓに対する高耐食性金属板３Ａの本固定がおこなわれ、樹脂接着層４Ａと高耐食性金属板３Ａからなる防食構造体１０Ａが形成される（第２のステップ）。
【００６０】
このように、本発明の施工方法は、被施工対象表面が湾曲面であってもその適用が可能であり、図示例のように、海洋における函状構造物を鋼管で支持する構造物に対しては、函状構造物と鋼管杭のすべての腐食可能性のある表面を高耐食性金属板にて被覆することができる。
【００６１】
（防食構造体とその施工方法の実施の形態３）
図６は本発明の防食構造体の施工方法の実施の形態３を説明したフロー図であって、第１のステップを説明した図であり、図７は図６のVII−VII矢視図であり、図８は図６に続いて第１のステップを説明した図である。また、図９は図８に続いて第２のステップを説明するとともに、その際に各区画内への樹脂材料の流れと、この樹脂材料によって押し出された空気の流れを説明した図であり、図１０は施工された防食構造体の実施の形態３を示した図である。
【００６２】
本実施の形態の施工方法は、構造物Ｃの被施工対象となる表面Ｓの平面積が平坦で比較的大きい場合に有効な方法であり、表面Ｓの平面積が広すぎて図１，２で示す施工方法を適用した場合に空間内への樹脂材料のスムーズでかつ十分な充填ができないという懸念を解消するべく、樹脂材料の充填孔を一箇所としても効率的に樹脂材料を流動させ、効果的に空間内から空気を抜くことを可能とした方法である。また、本実施の形態の施工方法では、空間の厚みを両面接着テープのみではなくて、所望の断面形状を有するスペーサを使用して確保することとしている。
【００６３】
図６で示すように、鋼製のスペーサの帯が枠状に形成されてなるスペーサ枠５の表面と裏面にそれぞれ両面接着テープの帯１Ｂを接着して接着枠１Ｃを形成し、この接着枠１Ｃを３つの区画Ｚ１，Ｚ２，Ｚ３に区分けするべく、スペーサの帯７の表面と裏面にそれぞれ両面接着テープの帯２Ｃを接着してなる接着区画帯２Ｄを接着枠１Ｃの内側に２箇所設ける。そして、各区画Ｚ１，Ｚ２，Ｚ３内に２以上のブロック状のスペーサ６の表面と裏面にそれぞれ両面接着テープのブロック２Ａを接着してなる接着ブロック２Ｂで構成された接着ブロック群２Ｂ’を形成する。
【００６４】
各区画Ｚ１，Ｚ２，Ｚ３の空間の厚みは、スペーサ５，６，７の厚みt3とその表裏面の両面接着テープ１Ｂ，２Ａ，２Ｃの厚みt4、t4の総和t5となる。
【００６５】
図７で示すように、接着枠１Ｃを構成するスペーサ５の断面形状は上方に開口を有する断面コの字状を呈して溝５ａを有しており、充填孔１Ｃａから充填された樹脂材料は溝５ａを介して流動し、各区画Ｚ１，Ｚ２，Ｚ３に対応する位置に送られる。すなわち、接着枠１Ｃの中で充填孔１Ｃａが形成された一辺は樹脂材料を送り出す送りレールの役割を担っている。
【００６６】
送りレールを構成する接着枠１Ｃの一辺において、スペーサ５の側面には各区画Ｚ１，Ｚ２，Ｚ３に対応する位置に流れてきた樹脂材料が各区画内に流れ込む連通孔５ｂが形成されている。
【００６７】
一方、図６で示すように、連通孔５ｂを具備する接着枠１Ｃの一辺に対向する他の一辺を構成するスペーサ５の側面には、各区画Ｚ１，Ｚ２，Ｚ３に樹脂材料が流れ込んだ際に押し出された空気が流れ込む連通孔５ｃが開設されており、連通孔５ｃを介してスペーサ５の溝を流通した空気は充填孔１Ｃａと対角位置にある空気抜き孔１Ｃｂから抜気される。
【００６８】
構造物Ｃの表面Ｓに接着枠１Ｃ、接着区画帯２Ｄ、接着ブロック群２Ｂ’を接着したら、図８に示すに高耐食性金属板３Ｂをこれらの両面接着テープの端面に接着して高耐食性金属板３Ｂの仮固定を図る（第１のステップ）。
【００６９】
ここで、高耐食性金属板３Ｂには樹脂材料を充填する充填孔３Ｂａと空気抜き孔３Ｂｂが開設されており、図８で示す仮固定姿勢において、充填孔３Ｂａと接着枠１Ｃの充填孔１Ｃａは流体連通し、同様に、空気抜き孔３Ｂｂと接着枠１Ｃの空気抜き孔１Ｃｂも流体連通している。
【００７０】
次に、図９で示すように（図９は、その内部の流体の流れを説明するために高耐食性金属板３Ｂを省略した図である）、充填孔３Ｂａ、１Ｃａを介して充填された（Ｘ５方向）樹脂材料は、接着枠１Ｃの一辺を構成するスペーサの溝を通って各区画Ｚ１，Ｚ２，Ｚ３位置まで流れ（Ｘ６方向）、各区画の連通孔５ｂを介して各区画内へ流れ込む（Ｘ７方向）。
【００７１】
樹脂材料の流れ込みによって区画内に存在していた空気は押し出され、接着枠１Ｃの他片を構成するスペーサの溝を通って空気抜き孔１Ｃｂまで送られ、空気抜き孔１Ｃｂ，３Ｂｂを介して抜気される。
【００７２】
このように、被施工対象面積が広い場合には、一定の面積のエリアに区分けし、樹脂材料をある程度一定の方向に流動させることで空気を効果的に区画内から抜くことができ、空気溜まりのない状態で広範な空間内に樹脂材料を充填することができる。
【００７３】
各区画Ｚ１，Ｚ２，Ｚ３内における樹脂材料が硬化することにより、図１０で示すように各区画の空間内に形成された樹脂接着層４Ｂを介して高耐食性金属板３Ｂが本固定され、樹脂接着層４Ｂと高耐食性金属板３Ｂからなる防食構造体１０Ｂが形成される。
【００７４】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００７５】
１，１Ａ…接着枠、１Ｂ…両面接着テープの帯、１Ｃ…接着枠、１Ｃａ…充填孔、１Ｃｂ…空気抜き孔、２…接着ブロック、２’…接着ブロック群、２Ａ…両面接着テープのブロック、２Ｂ…接着ブロック、２Ｂ’…接着ブロック群、２Ｃ…両面接着テープの帯、２Ｄ…接着区画帯、３，３Ａ…高耐食性金属板、３ａ、３Ａａ，３Ｂａ…充填孔、３ｂ、３Ａｂ，３Ｂｂ…空気抜き孔、４，４Ａ…樹脂接着層、５…スペーサ枠（スペーサ）、５ａ…溝、５ｂ、５ｃ…連通孔、６…ブロック状のスペーサ（スペーサ）、７…スペーサの帯（スペーサ）、１０，１０Ａ，１０Ｂ…防食構造体、Ｃ…構造物（函状構造物）、Ｐ…構造物（鋼管）、Ｓ… 表面、Ｇ…空間、Ｚ１，Ｚ２，Ｚ３…区画
【図１】
2014136902.tif 000003
【図２】
2014136902.tif 000004
【図３】
2014136902.tif 000005
【図４】
2014136902.tif 000006
【図５】
2014136902.tif 000007
【図６】
2014136902.tif 000008
【図７】
2014136902.tif 000009
【図８】
2014136902.tif 000010
【図９】
2014136902.tif 000011
【図１０】
2014136902.tif 000012